【事件の表示】
　特許第３１６７５０２号「故障対策回路」の請求項３、５に係る特許に対する特許異議の申立てについて、次のとおり決定する。
【結　論】
　訂正を認める。
　特許第３１６７５０２号の請求項３、５に係る特許を取り消す。
【理　由】
１．手続の経緯
　特許第３１６７５０２号（請求項の数６）に係る発明についての出願は、平成５年５月２５日に特許出願され、平成１３年３月９日にその発明について特許権の設定登録がなされ、その後、請求項３及び５に係る特許について、申立人・小塚浩より特許異議の申立がなされ、平成１４年２月１３日付けで取消しの理由が通知され、その指定期間内である平成１４年４月２６日に訂正請求がされた後、平成１４年８月１５日付けで再度取消しの理由を通知し、期間を指定して意見書を提出する機会を与えたが、特許権者からは何らの応答もなされなかったものである。
　
２．訂正の適否についての判断
（１）訂正の内容
　ア．訂正事項ａ
　　特許請求の範囲の請求項３の
「主回路の動作を制御する制御回路と、上記主回路内の故障を検出する故障検出回路と、故障の存在または故障箇所を表示する表示部とを備え、上記故障検出回路が故障を検出した場合、主回路の動作を停止させると共に、上記表示部を点滅して故障を表示させるようにしたことを特徴とする故障対策回路。」を
「
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
　イ．訂正事項ｂ
　　特許請求の範囲の請求項５の
「複数の回路から構成される主回路の故障対策回路であって、主回路の動作を制御する制御回路と、上記主回路内の回路別の故障を検出する複数の故障検出回路と、故障または故障箇所を表示する表示部と、Ｅ２ＰＲＯＭを備え、故障検出回路が故障を検出した場合、主回路の動作を停止させ、表示部で故障箇所を表示させると共に、故障箇所の情報をＥ２ＰＲＯＭに書き込み、その後電源を切ってさらに再投入した場合、Ｅ２ＰＲＯＭの情報を読み出すことにより、主回路が停止した状態で表示部により故障の存在または故障箇所を表示させるようにしたことを特徴とする故障対策回路。」を
「
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
　ウ．訂正事項ｃ
　　明細書の段落【００１０】の
「主回路の動作を制御する制御回路と、主回路内の故障を検出する故障検出回路と、故障の存在または故障箇所を表示する表示部とを備え、故障検出回路が故障を検出した場合、主回路の動作を停止させると共に、表示部を点滅して故障を表示させるようにしたものである。」を
「
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
　エ．訂正事項ｄ
　　明細書の段落【００１２】の
「また、複数の回路から構成される主回路の故障対策回路であって、主回路の動作を制御する制御回路と、主回路内の回路別の故障を検出する複数の故障検出回路と、故障または故障箇所を表示する表示部と、Ｅ２ＰＲＯＭを備え、故障検出回路が故障を検出した場合、主回路の動作を停止させ、表示部で故障箇所を表示させると共に、故障箇所の情報をＥ２ＰＲＯＭに書き込み、その後電源を切ってさらに再投入した場合、Ｅ２ＰＲＯＭの情報を読み出すことにより、主回路が停止した状態で表示部により故障の存在または故障箇所を表示させるようにしたものである。」を
「また、
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
　オ．訂正事項ｅ
　　明細書の段落【００１４】における
「また、機器の故障を検出した時に、表示部を点滅させて故障の存在と故障箇所を同一箇所で表示することができる。」を
「また、機器の故障を検出した時に、表示部を点滅させて故障の存在と故障箇所を同一箇所で表示することができる。
更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。
　カ．訂正事項ｆ
　　明細書の段落【００２６】における
「心理的にも異常であることが分かりやすい。」を
「心理的にも異常であることが分かりやすい。
　
また、機器の故障を検出した時に、表示部を点滅させて故障の存在と故障箇所を同一箇所で表示することができる。更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。
　
（２）訂正の目的の適否、新規事項の有無及び拡張・変更の存否
　上記訂正事項ａ及びｂは、明細書の段落【００２０】及び【００２１】の記載に基いて、主回路の動作に関する構成を限定するものであるから、特許請求の範囲の減縮を目的とした明細書の訂正に該当する。
　また、上記訂正事項ｃ及びｄは、上記訂正事項ａ及びｂと整合を図るものであるから、明りょうでない記載の釈明を目的とした明細書の訂正に該当する。
　さらに、上記訂正事項ｅ及びｆは、上記訂正事項ａ及びｂと整合を図ると共に、明細書の段落【００２０】の記載に基いて、本件に係る発明の作用及び効果を特定するものであるから、明りょうでない記載の釈明を目的とした明細書の訂正に該当する。
　そして、上記いずれの訂正事項も、新規事項の追加に該当せず、「電子機器が故障した場合に、二次故障や危険を防止すると共に故障修理を迅速に行う」という課題に変更を及ぼすものでもないから、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項３及び５に係る発明（以下、「本件発明３及び５」という。）は、上記訂正に係る訂正明細書の特許請求の範囲の請求項３及び５に記載した事項により特定されるとおりのものである。（上記２．（１）ア．及びイ．参照）
　
（２）引用刊行物に記載された発明
　当審が通知した再度の取消しの理由で引用した刊行物１（特開平５−１２４３１４号公報）には、熱転写プリンタに関するものであって、
　ア．公報第２頁段落【０００２】〜【０００５】に「図２は、従来の熱転写プリンタの一例を示す概略構成図である。・・・このサーマルヘッド７の通電制御による熱によって、記録紙４上に、印刷開始位置から順次、転写紙６上のカラーインクが、プラテンローラ３、巻取り及び供給リール５Ａ及び５Ｂの図における反時計方向回転に伴い、１ラインずつ転写される。上述の動作は、前記ＲＯＭ１１にあらかじめ記録された動作プログラムに基づく前記マイコン２０の指令に従って、前記制御回路８の制御により行われる。又、この動作状況は、制御回路８の制御により、前記表示パネル９に表示される。　上述の熱転写プリンタ２１において、故障が発生した場合には、前記熱転写記録部２の所定箇所にそれぞれ配置された図示しないセンサ類からの故障検出信号に基づき、マイコン２０の指令に従って、故障箇所及び内容、対応方法等が表示パネル９に表示される。この故障内容には、前記記録紙４の紙づまり等のユーザにより回復可能なものと、前記サーマルヘッド７のオーバーヒート等の一定時間放置後自動的に回復するものと、サービスマンによる修理を要するものとの３種類があり、このサービスマンによる修理を要する故障の場合には、表示パネル９にサービスマンコールの表示がなされると共に、熱転写記録部２の動作停止が指令される。」、
　イ．同第２頁段落【０００７】に「本発明は・・・サービスマンコールの必要な故障が発生した場合に、ユーザにより電源スイッチのオフ及びオン動作が行われても、故障を増大させる危険がない熱転写プリンタを提供することを目的とするものである。」、
　ウ．同第２〜３頁段落【０００９】〜【００１２】に「図１は、本発明の熱転写プリンタの一実施例を示す概略構成図である。図に示すように、本発明の一実施例の熱転写プリンタ１は、前記熱転写記録部２、前記制御回路８、前記表示パネル９、動作制御用マイコン１０、前記ＲＯＭ１１、故障データ書込み用の、書込み及び電気的消去が可能なＥＥＰＲＯＭ１２等から構成されており、前述の従来例のプリンタ２１と同様部分については、その説明を省略する。　この熱転写プリンタ１において、前述のサービスマンによる修理を要する故障が発生した場合、マイコン１０の指令に従って、ＥＥＰＲＯＭ１２の所定アドレスに、故障箇所，故障内容等の故障発生に関するデータが記録されると共に、熱転写記録部２の動作が停止される。このマイコン１０は、動作開始に当たり前記ＲＯＭ１１の動作プログラムを読む前に、優先的に、ＥＥＰＲＯＭ１２の所定アドレス箇所を読み、故障データが記録されている場合には、動作停止を指令する様に構成されている。　従って、前述の如く、ユーザーにより電源スイッチのオフ及びオン動作が行われた場合、最初に、ＥＥＰＲＯＭ１２の所定箇所が読み取られ、故障データが記録されている場合には、動作が停止されるから、前述の従来例の場合の如く、故障を増大させる危険がない。又、前述の再現性に乏しい故障の場合にも、同様に効果を発揮する。　そして、前記ＥＥＰＲＯＭ１２に記録された故障データをサービスマンが読み取ることにより、適確な修理作業が行われる。」、
とそれぞれ記載されている。
　これらの記載事項及び図１，２の図示内容によれば、刊行物１には、以下のとおりの発明が記載されているものと認められる。
「熱転写プリンタ１において、プラテンローラ３、巻取り及び供給リール５Ａ及び５Ｂ、サーマルヘッド７等から構成される熱転写記録部２の故障に対応するための回路であって、熱転写記録部２の動作を制御する制御回路８と、上記熱転写記録部２の所定箇所にそれぞれ配置されたセンサ類と、故障箇所及び内容、対応方法等を表示する表示パネル９と、ＥＥＰＲＯＭ１２を備え、センサ類が故障を検出した場合、熱転写記録部２の動作を停止させ、表示パネル９で故障箇所等を表示させると共に、故障箇所等のデータをＥＥＰＲＯＭ１２に記録し、その後電源スイッチのオフ及びオン動作が行われた場合、ＥＥＰＲＯＭ１２のデータを読み出すことにより、熱転写記録部２が停止した状態で表示パネル９により故障箇所等を表示させるようにした熱転写プリンタ１の熱転写記録部２における故障に対応するための回路。」（以下、「引用発明」という。）
　
（３）対比・判断
　ア．本件発明３について
　本件発明３と上記引用発明とを対比すると、引用発明の「熱転写プリンタ１」が本件発明３の「電子機器」に相当し、以下同様に、「故障箇所及び内容、対応方法等」が「故障の存在または故障箇所」に、「表示パネル９」が「表示部」に、「故障箇所等を表示」が「故障を表示」に、「故障に対応するための回路」が「故障対策回路」に、それぞれ相当している。
　また、上記引用発明において、「プラテンローラ３、巻取り及び供給リール５Ａ及び５Ｂ、サーマルヘッド７等から構成される熱転写記録部２」には、それらの構成部品を駆動するための「駆動回路」が具備されているはずであるから、該「駆動回路」が本件発明３の「主回路」に相当し、引用発明の「熱転写記録部２の所定箇所にそれぞれ配置されたセンサ類」が本件発明３の「主回路内の故障を検出する故障検出回路」に相当している。
　したがって、両者は、
「主回路を有する電子機器において、上記主回路の動作を制御する制御回路と、上記主回路内の故障を検出する故障検出回路と、故障の存在または故障箇所を表示する表示部とを備え、上記故障検出回路が故障を検出した場合、上記主回路の動作を停止させると共に、上記表示部（で）故障を表示させるようにした故障対策回路」において一致し、以下の点で相違している。
ａ）電子機器に関し、本件発明３では、「主回路に電圧を供給しているパワーオン状態と上記主回路への電圧の供給が停止しているスタンバイ状態との２つの電源投入状態」を有するとし、「上記パワーオン状態から上記スタンバイ状態に移行することにより」上記主回路の動作を停止させるとしているのに対し、引用発明ではかかる電源態様が明確にされていない点（以下、「相違点ａ」という。）。
ｂ）表示部における故障の表示に関し、本件発明３では、「点滅」であるのに対して、引用発明では単に表示している点（以下、「相違点ｂ」という。）。
　上記相違点について検討する。
・相違点ａについて
　上記刊行物１における記載内容からみて、引用発明における「熱転写プリンタ１」は、ユーザーによりオフ及びオン動作が行われる「電源スイッチ」を明らかに備えており、また、故障が発生した場合、上記「電源スイッチ」によるオフ動作によらずに（換言すると、「電源スイッチ」がオン状態のままで）熱転写記録部２の動作を停止させる手段をも明らかに備えているものである。
　そして、一般に、機器自体の作動をオンあるいはオフとする電源スイッチを備える電子機器において、上記電源スイッチのオン状態で、電子機器の主回路に電圧を供給しているパワーオン状態と上記主回路への電圧の供給が停止しているスタンバイ状態（待機状態）との２つの電源投入状態を有するような電子機器は、あえて例示するまでもなく、周知のものである。
　それ故、上記周知技術に倣って、上記引用発明おける主回路の電源態様を、相違点ａに係る本件発明３の構成のようにする程度のことは、当業者が容易に推考し得たものと認められる。
・相違点ｂについて
　一般に、故障を表示するに際して注意を喚起すべく表示部を点滅させることは、あえて例示するまでもなく、周知慣用技術である。
　それ故、上記周知慣用技術に倣って、上記引用発明おける表示部を、点滅して故障を表示させるように構成する程度のことは、当業者が容易に推考し得たものと認められる。
　そして、本件発明３により奏される効果は、上記引用発明及び上記周知慣用技術から、当業者が予測し得る範囲内のものである。
　したがって、本件発明３は、刊行物１に記載された発明及び上記周知慣用技術に基いて当業者が容易に発明をすることができたものである。
　
　イ．本件発明５について
　本件発明５と上記引用発明とを対比すると、引用発明の「熱転写プリンタ１」が本件発明５の「電子機器」に相当し、以下同様に、「故障に対応するための回路」が「故障対策回路」に、「故障箇所及び内容、対応方法等」が「故障または故障箇所」に、「表示パネル９」が「表示部」に、「ＥＥＰＲＯＭ１２」が「Ｅ２ＰＲＯＭ」に、「故障箇所等のデータ」が「故障箇所の情報」に、「記録し」が「書き込み」に、「電源スイッチのオフ及びオン動作が行われた場合」が「電源を切ってさらに再投入した場合」に、「故障箇所等を表示」が「故障の存在または故障箇所を表示」に、「故障に対応するための回路」が「故障対策回路」に、それぞれ相当している。
　また、上記引用発明において、「プラテンローラ３、巻取り及び供給リール５Ａ及び５Ｂ、サーマルヘッド７等から構成される熱転写記録部２」には、それらの構成部品を駆動するための「駆動回路」が具備されているはずであるから、該「駆動回路」が本件発明３の「主回路」に相当し、引用発明の「熱転写記録部２の所定箇所にそれぞれ配置されたセンサ類」が本件発明３の「主回路内の回路別の故障を検出する複数の故障検出回路」に相当している。
　したがって、両者は、
「主回路を有する電子機器において、複数の回路から構成される主回路の故障対策回路であって、主回路の動作を制御する制御回路と、上記主回路内の回路別の故障を検出する複数の故障検出回路と、故障または故障箇所を表示する表示部と、Ｅ２ＰＲＯＭを備え、故障検出回路が故障を検出した場合、上記主回路の動作を停止させ、表示部で故障箇所を表示させると共に、故障箇所の情報をＥ２ＰＲＯＭに書き込み、その後電源を切ってさらに再投入した場合、Ｅ２ＰＲＯＭの情報を読み出すことにより、上記主回路が停止した状態で表示部により故障の存在または故障箇所を表示させるようにした故障対策回路」において一致し、以下の点で相違している。
ｃ）電子機器に関し、本件発明５では、「主回路に電圧を供給しているパワーオン状態と上記主回路への電圧の供給が停止しているスタンバイ状態との２つの電源投入状態」を有するとし、「上記パワーオン状態から上記スタンバイ状態に移行することにより」上記主回路の動作を停止させ、「上記スタンバイ状態を保持することに基づく」上記主回路が停止した状態としているのに対し、引用発明ではかかる電源態様が明確にされていない点（以下、「相違点ｃ」という。）。
・相違点ｃについて
　上記相違点ｃは、上記相違点ａと実質的に同等のものであるから、相違点ａにおける検討内容を踏まえれば、上記周知技術に倣って、上記引用発明おける電子機器の電源態様を、相違点ｃに係る本件発明５の構成のようにする程度のことは、当業者が容易に推考し得たものと認められる。
　そして、本件発明５により奏される効果は、上記引用発明及び上記周知慣用技術から、当業者が予測し得る範囲内のものである。
　したがって、本件発明５は、刊行物１に記載された発明及び上記周知慣用技術に基いて当業者が容易に発明をすることができたものである。
　
（４）むすび
　以上のとおりであるから、本件発明３及び５は、特許法第２９条第２項の規定により、特許を受けることができない。
　したがって、本件発明３及び５についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年１１月２９日（２００２．１１．２９）
【訂正の要旨】
訂正の要旨
（１）訂正事項ａ
　特許請求の範囲の請求項３の
「主回路の動作を制御する制御回路と、上記主回路内の故障を検出する故障検出回路と、故障の存在または故障箇所を表示する表示部とを備え、上記故障検出回路が故障を検出した場合、主回路の動作を停止させると共に、上記表示部を点滅して故障を表示させるようにしたことを特徴とする故障対策回路。」を
「
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
（２）訂正事項ｂ
　特許請求の範囲の請求項５の
「複数の回路から構成される主回路の故障対策回路であって、主回路の動作を制御する制御回路と、上記主回路内の回路別の故障を検出する複数の故障検出回路と、故障または故障箇所を表示する表示部と、Ｅ２ＰＲＯＭを備え、故障検出回路が故障を検出した場合、主回路の動作を停止させ、表示部で故障箇所を表示させると共に、故障箇所の情報をＥ２ＰＲＯＭに書き込み、その後電源を切ってさらに再投入した場合、Ｅ２ＰＲＯＭの情報を読み出すことにより、主回路が停止した状態で表示部により故障の存在または故障箇所を表示させるようにしたことを特徴とする故障対策回路。」を
「
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
（３）訂正事項ｃ
　明細書の段落【００１０】の
「主回路の動作を制御する制御回路と、主回路内の故障を検出する故障検出回路と、故障の存在または故障箇所を表示する表示部とを備え、故障検出回路が故障を検出した場合、主回路の動作を停止させると共に、表示部を点滅して故障を表示させるようにしたものである。」を
「
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
（４）訂正事項ｄ
　明細書の段落【００１２】の
「また、複数の回路から構成される主回路の故障対策回路であって、主回路の動作を制御する制御回路と、主回路内の回路別の故障を検出する複数の故障検出回路と、故障または故障箇所を表示する表示部と、Ｅ２ＰＲＯＭを備え、故障検出回路が故障を検出した場合、主回路の動作を停止させ、表示部で故障箇所を表示させると共に、故障箇所の情報をＥ２ＰＲＯＭに書き込み、その後電源を切ってさらに再投入した場合、Ｅ２ＰＲＯＭの情報を読み出すことにより、主回路が停止した状態で表示部により故障の存在または故障箇所を表示させるようにしたものである。」を
「また、
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
（５）訂正事項ｅ
　明細書の段落【００１４】における
「また、機器の故障を検出した時に、表示部を点滅させて故障の存在と故障箇所を同一箇所で表示することができる。」を
「また、機器の故障を検出した時に、表示部を点滅させて故障の存在と故障箇所を同一箇所で表示することができる。
更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。」
（６）訂正事項ｆ
　明細書の段落【００２６】における
「心理的にも異常であることが分かりやすい。」を
「心理的にも異常であることが分かりやすい。
　
また、機器の故障を検出した時に、表示部を点滅させて故障の存在と故障箇所を同一箇所で表示することができる。更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。」
（５４）【発明の名称】
故障対策回路
（５７）【特許請求の範囲】
　【請求項１】　主回路の動作を制御する制御回路と、上記主回路内の故障を検出する故障検出回路と、故障の存在または故障箇所を表示する表示部と、上記主回路が停止しているとき点灯するスタンバイランプとを備え、上記故障検出回路が故障を検出した場合、主回路の動作を停止させ、上記スタンバイランプを点滅させると共に、上記表示部によって故障を表示させるようにしたことを特徴とする故障対策回路。
　【請求項２】　スタンバイランプは赤色に点灯するものであることを特徴とする請求項１記載の故障対策回路。
　【請求項３】　
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
　【請求項４】　主回路の動作を制御する制御回路と、上記主回路が停止しているとき点灯するスタンバイランプと、上記主回路内の故障を検出する故障検出回路と、電気的消去書き込みが可能な不揮発性メモリ（以後Ｅ２ＰＲＯＭと表す）とを備え、上記故障検出回路が故障を検出した場合、主回路の動作を停止させ、スタンバイランプを点滅させると共に、故障存在の情報をＥ２ＰＲＯＭに書き込み、その後電源を切ってさらに再投入した場合、Ｅ２ＰＲＯＭの情報を読み出すことにより、主回路が停止した状態でスタンバイランプを点滅させるようにしたことを特徴とする故障対策回路。
　【請求項５】　
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
　【請求項６】　制御回路と、主回路内の故障を検出する故障検出回路と、故障の存在または故障箇所を表示する表示部とを備え、上記制御回路は故障検出回路からの入力ポートと、表示部への出力ポートを兼用にしたものであることを特徴とする故障対策回路。
【発明の詳細な説明】
　【０００１】
　【産業上の利用分野】
　本発明は、電子機器が故障した場合に、二次故障や危険を防止すると共に故障修理を迅速に行うための、故障対策回路に関する。特に、回路規模が大きいもの、設置場所の関係でサービスの作業性が悪いもの、高額商品などに適した故障対策回路を提供することを目的としている。
　【０００２】
　【従来の技術】
　図５は例えばビデオプロジェクタなどの電子機器に備えられた故障対策回路の従来例を表すブロック図である。図において、１はビデオプロジェクタの主回路で、スイッチング電源回路２から電圧を供給されている部分である。主回路１は水平偏向回路３、垂直偏向回路４、高圧発生回路５などの回路部分を含んでいる。主回路は他にも様々な回路から構成されているがここでは説明を省略する。６、７、８はそれぞれ３、４、５の故障を検出する故障検出回路である。説明を省略した回路部分の中にもその故障検出回路を備えているものがある（図示せず）。次に、９はスタンバイ回路で、スタンバイ電源回路１０から電圧が供給されている部分である。スタンバイ回路９に含まれるものには次のようなものがある。１１は赤外線リモートコントロール（以後リモコンと略す）の受信部、１２はマイクロコンピュータを含む制御回路、１３はＥ２ＰＲＯＭ、１４は主回路のパワーオンランプとスタンバイランプを一体化したＬＥＤランプ、１５は故障箇所を表示するための表示部である。さらにこのビデオプロジェクタは商用電源を断続するためのメインズスイッチ１６、商用電源に接続するためのコンセントプラグ１７などを備えている。
　【０００３】
　次に動作について説明する。このビデオプロジェクタはリモコンで操作するようになっている。例えば、制御回路１２は受信部１１を通して電源オフの命令を受信すると、電源オン／オフ制御出力ポートが「Ｌ」になり、スイッチング電源回路２の動作を停止させる。主回路１に電圧が供給されなくなるので主回路１の動作が停止する。この、主回路１の電源がオフで、スタンバイ回路９が働いている状態をスタンバイ状態と呼ぶ。このビデオプロジェクタはスタンバイ状態ではＬＥＤ１４は赤く点灯する。スタンバイ状態において、リモコンからパワーオン命令を受信すると、制御回路１２の電源オン／オフ制御出力ポートが「Ｈ」になり、スイッチング電源２を動作させ、主回路１が動作する。主回路１が動作している状態をパワーオン状態と呼ぶ。パワーオン状態ではＬＥＤ１４は緑色に点灯する。
　【０００４】
　また、このビデオプロジェクタはコントラスト、ブライトなどを操作できる。電源オン／オフやコントラスト、ブライト設定値などの操作状態はＥ２ＰＲＯＭ１３に記憶され、メインズスイッチ１６を切ったり、コンセントプラグ１７を抜いたり、または停電が起こったりした後の電源再投入時でも、制御回路１２内のマイクロコンピュータが自動的にＥ２ＰＲＯＭ１３に記憶された情報を読み出し、以前の操作状態を再現するようになっている。
　【０００５】
　次に故障対策回路について説明する。例えば水平偏向回路３が停止した場合、もし故障対策回路がなければ、映像を投写するためのＣＲＴ（図示せず）の水平走査が停止したまま映像を映すため、蛍光面の縦１線上に電子ビームが集中し、蛍光体にいわゆる焼き付きが生じるという二次故障を招く。
　このビデオプロジェクタでは正常状態では故障検出回路６〜８は「Ｈ」を出力している。水平偏向回路３が停止した場合、故障検出回路（Ａ）６が故障を検知し、制御回路１２に「Ｌ」の情報を伝える。制御回路１２は故障検出回路からの入力が１つでも「Ｌ」になると、スタンバイ状態になり、電源オン／オフ制御出力ポートが「Ｌ」になり、ＬＥＤ１４は赤く点灯し、スイッチング電源回路２の動作が停止する。このとき、通常の操作によるスタンバイ状態と同様、Ｅ２ＰＲＯＭ１３には電源オフの情報が書き込まれる。また「Ｌ」の入力ポートに対応した出力ポートを「Ｌ」にすることにより表示部１５の「Ａ」部を点灯させる。同様に垂直偏向回路４が停止した場合や、高圧発生回路５の電圧が異常に高くなった場合は、それぞれ故障検出回路（Ｂ）７、故障検出回路（Ｃ）８が「Ｌ」を出力し、スタンバイ状態になると共に、それぞれ表示部１５「Ｂ」部、「Ｃ」部が点灯するよう制御回路１２が働く。
　このようにして、たとえ故障が発生しても、主回路の動作が停止するスタンバイ状態に移行することで二次故障を防止すると共に、故障箇所を表示するので、サービスマンは表示に従って回路基板を交換すればよく、迅速な故障修理ができる。
　【０００６】
　【発明が解決しようとする課題】
　しかし、上記のような従来の故障対策回路では、故障発生時、顧客が表示部の点灯を見て故障と知り、メインズスイッチ１６を切ったり、コンセントプラグ１７を抜くなど何らかの方法で商用電源を切った上でサービスマンを呼んだ場合や、停電が起こった後の電源再投入時は、スタンバイ状態になるが、表示部１５は点灯しない、このため正常状態でのリモコン操作によるスタンバイ状態であるのか、故障対策回路が働いたためのスタンバイ状態なのかわからない、また故障だとすればどこの故障なのかわからないという問題点があった。このような場合、サービスマンは故障しているビデオプロジェクタの電源をリモコンでオンにし、再度故障対策回路が働いて表示部が点灯するのを見る必要があり、製品の二次故障の防止や、安全上好ましくなかった。
　また故障発生時、スタンバイ回路だけとはいえ、顧客にビデオプロジェクタに通電したまま放置させることも安全上好ましくなかった。
　【０００７】
　さらに、上記のような故障対策回路では、故障検出回路からの入力ポートとは別に、表示部への出力ポートが必要であるため、制御部のマイクロコンピュータの貴重な入出力ポートを沢山使用するので、ビデオプロジェクタをコントロールする他の機能を削るなどの犠牲を払う必要があった。
　【０００８】
　本発明は、係る問題点を解決するためになされたものであり、故障が発生した場合、顧客にそれをはっきりと警告し、顧客が商用電源を切ってサービスマンを待つことができ、サービスマンが商用電源を再投入したとき、主回路を動作させなくとも、故障モードを知ることのできる、故障対策回路を提供することを目的としており、さらに、マイクロコンピュータの入出力ポートの使用数を減少させ、その分を他の機能に使用することで高機能な製品を実現させることにある。
　【０００９】
　【課題を解決するための手段】
　主回路の動作を制御する制御回路と、主回路内の故障を検出する故障検出回路と、故障の存在または故障箇所を表示する表示部と、主回路が停止しているとき点灯するスタンバイランプとを備え、故障検出回路が故障を検出した場合、主回路の動作を停止させ、スタンバイランプを点滅させると共に、表示部によって故障を表示させるようにしたものである。
　また、スタンバイランプには赤色に点灯するものを採用する。
　【００１０】
　
主回路に電圧を供給しているパワーオン状態と上記主回路への電圧の供給が停止しているスタンバイ状態との２つの電源投入状態を有する電子機器において、上記
上記パワーオン状態から上記スタンバイ状態に移行することにより上記
　【００１１】
　また、主回路の動作を制御する制御回路と、主回路が停止しているとき点灯するスタンバイランプと、主回路内の故障を検出する故障検出回路と、電気的消去書き込みが可能な不揮発性メモリ（以後Ｅ２ＰＲＯＭと表す）とを備え、故障検出回路が故障を検出した場合、主回路の動作を停止させ、スタンバイランプを点滅させると共に、故障存在の情報をＥ２ＰＲＯＭに書き込み、その後電源を切ってさらに再投入した場合、Ｅ２ＰＲＯＭの情報を読み出すことにより、主回路が停止した状態でスタンバイランプを点滅させるようにしたものである。
　【００１２】
　また、
主回路に電圧を供給しているパワーオン状態と上記主回路への電圧の供給が停止しているスタンバイ状態との２つの電源投入状態を有する電子機器において、
上記パワーオン状態から上記スタンバイ状態に移行することにより上記
上記スタンバイ状態を保持することに基づく上記
　【００１３】
　また、マイクロコンピュータの入出力ポートの使用数を減少させるため、入出力兼用ポートを使い、故障検出回路からの情報の入力ポートと、表示部への情報の出力ポートを共通にする。
　【００１４】
　【作用】
　上記のように構成された故障対策回路は、機器の故障を検出した時に、スタンバイランプが点滅するので、正常状態（スタンバイランプが、点滅することなく連続に点灯）との違いが、顧客にも一目で判る。スタンバイランプは赤色に光るものを採用し、故障検出時に赤の点滅で知らせるので、心理的にも異常であることが分かりやすい。
　また、機器の故障を検出した時に、表示部を点滅させて故障の存在と故障箇所を同一箇所で表示することができる。
更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。
　【００１５】
　また、故障箇所の情報をＥ２ＰＲＯＭに書き込んで、電源再投入時にマイクロコンピュータが自動的にＥ２ＰＲＯＭの情報を読み出して元の状態を再現するので、故障状態の場合、スタンバイランプが点滅し、表示部で故障箇所を表示する。顧客が商用電源を切ってからサービスマンを呼んだ場合でも、サービスマンが商用電源を再投入すれば、スタンバイ状態のまま故障状態であることと故障箇所が一目で判る。
　【００１６】
　また、制御部のマイクロコンピュータは、故障検出回路からの情報の入力ポートと、表示部への情報の出力ポートを入出力兼用ポートを使って共通にすることにより、貴重な入出力ポートの使用数の少ない故障対策回路を提供する。
　【００１７】
　【実施例】
実施例１．
　図１はこの発明の一実施例を示すブロック図であり、１〜１１および１３〜１７は上記従来例と同じもの、１２は従来例に比べ、マイクロコンピュータのプログラムを変更し、入出力ポートの機能を一部追加した制御回路、１８は故障情報または故障箇所を記憶するためのＥ２ＰＲＯＭである。ＬＥＤ１４は制御回路１２の専用出力で点灯するよう構成されている。
　【００１８】
　次に動作について説明する。故障対策回路の動作と共に、電源オン／オフの動作を示すフローチャートを図２に示す。このビデオプロジェクタはリモコンで操作するようになっている。例えば、制御回路１２は受信部１１を通して電源オフの命令を受信すると、電源オン／オフ制御出力ポートが「Ｌ」になり、スイッチング電源回路２の動作を停止させる。主回路１に電圧が供給されなくなるので主回路１の動作が停止する（スタンバイ状態になる）。スタンバイ状態ではＬＥＤ１４は赤く点灯する。スタンバイ状態において、リモコンからパワーオン命令を受信すると、制御回路１２の電源オン／オフ制御出力ポートが「Ｈ」になり、スイッチング電源回路２を動作させ、主回路１が動作する（パワーオン状態になる）。パワーオン状態ではＬＥＤ１４は緑色に点灯する。
　【００１９】
　また、このビデオプロジェクタはコントラスト、ブライトなどを操作できる。電源オン／オフやコントラスト、ブライト設定値などの操作状態はＥ２ＰＲＯＭ１３に記憶され、メインズスイッチ１６を切ったり、コンセントプラグ１７を抜いたり、または停電が起こったりした後の電源再投入時でも、制御部１２内のマイクロコンピュータが自動的にＥ２ＰＲＯＭ１３に記憶された情報を読み出し、以前の操作状態が再現するようになっている。
　【００２０】
　次に故障対策回路の動作について説明する。このビデオプロジェクタでは、正常状態では故障検出回路６〜８は「Ｈ」を出力している。例えば水平偏向回路３が停止した場合、故障検出回路（Ａ）６が故障を検知し、制御回路１２に「Ｌ」の情報を伝える。制御回路１２は故障検出回路からの入力が１つでも「Ｌ」になると電源オン／オフ制御出力ポートが「Ｌ」になり、スイッチング電源回路２の動作が停止する。同時に、正常状態におけるリモコン操作によるスタンバイ状態とは異なり、ＬＥＤ１４が赤色で点滅し、Ｅ２ＰＲＯＭ１８に故障箇所の情報が書き込まれる。また「Ｌ」の入力ポートに対応した出力ポートを「Ｌ」にすることにより、表示部１５の「Ａ」部を点灯させる。同様に垂直偏向回路４が停止した場合、高圧発生回路５の電圧が異常に高くなった場合は、それぞれ故障検出回路（Ｂ）７、故障検出回路（Ｃ）８が「Ｌ」を出力し、スタンバイ状態になると共に、それぞれ表示部１５の「Ｂ」部、「Ｃ」部が点灯するよう制御回路１２が働く。　このようにして、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができるのは従来と同様であるが、本発明では指示操作によるスタンバイ状態か、故障によるスタンバイ状態かが、ＬＥＤ１４の点灯か点滅かでも判別できる。
　【００２１】
　次に、メインズスイッチ１６を切ったり、コンセントプラグ１７を抜いたり、または停電が起こったりした後の商用電源再投入時の動作について説明する。図３に商用電源再投入時のリセットの動作のアルゴリズムのフローチャートを示す。制御回路１２内のマイクロコンピュータは初期化の後、Ｅ２ＰＲＯＭ１３、１８の情報を読み出す、このとき、故障箇所の情報が存在している場合は、電源オフ（スタンバイ状態）で故障箇所を表示部１５から表示すると共に、ＬＥＤ１４が赤く点滅する。故障箇所の情報が存在しない場合は、電源オフ情報が存在するか否かにより、通常のスタンバイ状態または、パワーオン状態になる。
　このようにして、顧客が商用電源を切ってサービスマンを呼んだ場合でも、サービスマンが電源再投入した時に、主回路１をパワーオンさせなくとも、スタンバイ状態のまま故障していることと、故障箇所を知らせることができる。
　【００２２】
実施例２．
　図４は本発明による他の実施例を示すブロック図である。１〜１１および１３〜１８は第１の実施例と同じもの、１２は従来例に比べ、マイクロコンピュータのプログラムを変更し、入出力ポートの機能を一部変更した制御回路である。
　ここでは、制御回路１２は入出力兼用ポートを使い、故障検出回路からの情報の入力ポートと、表示部への情報の出力ポートを共通にしている。
　【００２３】
　この実施例の故障検出と故障箇所表示の動作について説明する。正常状態では故障検出回路６〜８は「Ｈ」を出力し、故障検出と故障箇所表示の入出力兼用ポートは出力がハイインピーダンスの状態で入力モードになっている。例えば水平偏向回路３が停止した場合、故障検出回路（Ａ）６が故障を検知し、制御回路１２に「Ｌ」の情報を伝える。制御回路１２は故障検出回路からの入力が「Ｌ」になると、「Ｌ」が入力された入出力兼用ポートの出力を「Ｌ」にする。このため故障検出回路の「Ｌ」状態がたとえ一瞬でも、制御回路１２が「Ｌ」を保持する働きをする。このようにして表示部１５の「Ａ」部が点灯する。同様に垂直偏向回路４が停止した場合や、高圧発生回路５の電圧が異常に高くなった場合は、それぞれ故障検出回路（Ｂ）７、故障検出回路（Ｃ）８が「Ｌ」を出力し、対応した入出力兼用ポートの出力がそれを受けて「Ｌ」になり、それぞれ表示部１５の「Ｂ」部、「Ｃ」部が点灯するよう制御回路１２が働く。その他の故障対策回路の動作は実施例１と同様である。
　【００２４】
　上記実施例１、２では故障箇所を記憶するためのＥ２ＰＲＯＭはビデオプロジェクタの操作状態を記憶するためのＥ２ＰＲＯＭとは別のものを用いる場合を示したが、その記憶容量に余裕があれば兼用することによって、故障箇所を記憶するためのＥ２ＰＲＯＭを追加しなくても良いことは当然である。
　【００２５】
　また、上記実施例１、２ではスタンバイランプを点滅させる例を示したが、故障の存在または故障箇所を表示するための表示部が点滅するようにしても良い。
　【００２６】
　【発明の効果】
　この発明は、以上説明したように構成されているので、機器の故障を検出した時にスタンバイランプが点滅するので、正常状態（スタンバイランプが、点滅することなく連続に点灯）との違いが、顧客にも一目で判る。スタンバイランプは赤色に光るものを採用し、故障検出時に赤の点滅で知らせるので、心理的にも異常であることが分かりやすい。
　
また、機器の故障を検出した時に、表示部を点滅させて故障の存在と故障箇所を同一箇所で表示することができる。更に、たとえ故障が発生しても主回路の動作が停止するスタンバイ状態に移行することで二次故障を防止すると共に、故障箇所を表示するので、サービスマンは表示に従って回路基板を交換すればよく、迅速な故障修理ができる。
　【００２７】
　また、顧客が商用電源を切ってからサービスマンを呼んだ場合でも、サービスマンが商用電源を再投入すれば、スタンバイ状態のままで故障状態であることと故障箇所が一目で判る。
　【００２８】
　また、制御部のマイクロコンピュータは故障検出回路からの情報の入力ポートと、表示部への情報の出力ポートを入出力兼用ポートを使って共通にすることにより、貴重な入出力ポートの使用数の少ない故障対策回路を提供することができる。
【図面の簡単な説明】
　【図１】
　この発明の実施例１による故障対策回路を示すブロック図である。
　【図２】
　実施例１の動作を示すフローチャートである。
　【図３】
　実施例１のリセット時の動作を示すフローチャートである。
　【図４】
　この発明の実施例２による故障対策回路を示すブロック図である。
　【図５】
　従来の故障対策回路を示すブロック図である。
　【符号の説明】
　　１　主回路
　　２　スイッチング電源回路
　　６〜８　故障検出回路
　　９　スタンバイ回路
　１０　スタンバイ電源回路
　１１　リモコン受信部
　１２　制御回路
　１３　Ｅ２ＰＲＯＭ
　１４　スタンバイ用ＬＥＤランプ
　１５　故障表示部
　１６　メインズスイッチ
　１８　Ｅ２ＰＲＯＭ